(57)【要約】【課題】撮像装置を備える携帯端末において、撮像モードの自動切替制御を実現させ、撮像時の操作を簡素化する。【解決手段】光電変換部２１を有する撮像素子２０と、光電変換部２１に被写体像を結像させるレンズ部３２と、を有する撮像装置１６を備えた携帯端末（携帯電話機）１において、撮像装置１６に入射する光の量を調節して近接撮像を可能にする絞り手段（液晶窓１００及び絞り設定プログラムｃ４）と、撮像装置１６により取得した画像データに基づいて絞り手段を制御することにより、通常撮像を行う通常撮像モードから近接撮像を行う近接撮像モードへと自動的に切り替える制御手段（ＣＰＵ１１ａ）と、を備える。【選択図】        図３
2004274548.tif 000002
【特許請求の範囲】
【請求項１】
光電変換部を有する撮像素子と、前記光電変換部に被写体像を結像させるレンズ部と、を有する撮像装置を備えた携帯端末において、
前記撮像装置に入射する光の量を調節して近接撮像を可能にする絞り手段と、
前記撮像装置により取得した画像データに基づいて前記絞り手段を制御することにより、通常撮像を行う通常撮像モードから近接撮像を行う近接撮像モードへと自動的に切り替える制御手段と、
を備えることを特徴とする携帯端末。
【請求項２】
前記絞り手段は、
偏光板及び配向膜が設けられた２枚のガラス基板と、これらガラス基板の間に封入された液晶と、を有する液晶窓と、
前記液晶の一部に電圧を印加して前記液晶窓の光透過面積を変更することにより、前記撮像装置に入射する光の量を調節する印加電圧手段と、
を備えることを特徴とする請求項１に記載の携帯端末。
【発明の詳細な説明】
【０００１】
【発明の属する技術分野】
本発明は、携帯端末に関する。
【０００２】
【従来の技術】
従来より、情報通信機能や個人情報管理機能を有するＰＤＡ、携帯電話機、ＰＨＳ（Ｒ）等の携帯型情報通信端末装置（以下、「携帯端末」という）が種々提案され、実用化されている。近年においては、搭載した撮像装置を用いることにより、外部に存在する所定の被写体を撮像する機能を有する携帯端末が提案されている。例えば、所定の被写体を撮像する通常撮像モードと、近接した位置にある被写体を撮像する近接撮像モードと、を切り替えて撮像可能な携帯端末が提案されている（例えば、特許文献１参照）。
【０００３】
【特許文献１】
特開２００２−２６２１６４号公報
【０００４】
【発明が解決しようとする課題】
しかし、特許文献１に記載の携帯端末を使用した場合には、ユーザが通常撮像モードか、近接撮像モードか、を自ら判断して切替操作を行う必要があるため、操作が面倒であるという問題があった。特に、特許文献１に記載の携帯端末は、撮像装置の回動に連動させて撮像モードを切り替える構造を有するので、撮像モードを切り替える度にユーザが手指で撮像装置を回動させなければならず、手間がかかっていた。
【０００５】
本発明の課題は、撮像装置を備える携帯端末において、撮像モードの自動切替制御を実現させ、撮像時の操作を簡素化することである。
【０００６】
【課題を解決するための手段】
上記課題を解決するために、請求項１に記載の発明は、
光電変換部を有する撮像素子と、前記光電変換部に被写体像を結像させるレンズ部と、を有する撮像装置を備えた携帯端末において、
前記撮像装置に入射する光の量を調節して近接撮像を可能にする絞り手段と、
前記撮像装置により取得した画像データに基づいて前記絞り手段を制御することにより、通常撮像を行う通常撮像モードから近接撮像を行う近接撮像モードへと自動的に切り替える制御手段と、
を備えることを特徴とする。
【０００７】
請求項１に記載の発明によれば、制御手段によって、撮像装置により取得した画像データに基づいて絞り手段を制御し、通常撮像を行う通常撮像モードから、近接撮像を行う近接撮像モードへと自動的に切り替えることができる。従って、撮像モードを切り替える際に、ユーザが撮像モードの適否を判断したり手指で切替操作を行ったりする必要がない。また、撮像モードを切り替える際に撮像装置を手指で回動させる必要がない。この結果、撮像時の操作を格段に簡素化することができる。
【０００８】
請求項２に記載の発明は、請求項１に記載の携帯端末において、
前記絞り手段は、
偏光板及び配向膜が設けられた２枚のガラス基板と、これらガラス基板の間に封入された液晶と、を有する液晶窓と、
前記液晶の一部に電圧を印加して前記液晶窓の光透過面積を変更することにより、前記撮像装置に入射する光の量を調節する印加電圧手段と、
を備えることを特徴とする。
【０００９】
請求項２に記載の発明によれば、絞り手段は、ガラス基板及び液晶を有する液晶窓と、液晶の一部に電圧を印加して液晶窓の光透過面積を変更することにより撮像装置に入射する光の量を調節する印加電圧手段と、を備えるので、液晶の特性（電圧非印加時の施光性及び電圧印加時の非施光性）を利用して、撮像装置に入射する光の量を電気的に調節することができる。この結果、撮像装置に入射する光の量を調節するために複雑な機械的構成を設ける必要がないので、携帯端末の軽量化や薄型化が可能となる。
【００１０】
【発明の実施の形態】
以下、図を参照して本発明の実施の形態を詳細に説明する。本実施の形態においては、本発明を適用した携帯端末の例として、撮像装置付携帯電話機（以下、単に「携帯電話機」と称する）を挙げて説明する。
【００１１】
まず、図１から図５を用いて本実施の形態に係る携帯電話機１の機械的構成について説明する。図１は、携帯電話機１の外観構成を示す図である。また、図２は、図１（ｂ）のＩＩ−ＩＩ部分の断面図であり、携帯電話機１に備えられる撮像装置１６の構成を説明するためのものである。なお、図２においては、後述する液晶窓１００を点線で示している。図３（ａ）は、携帯電話機１に備えられる液晶窓１００の構成を説明するための斜視図であり、図３（ｂ）は、図３（ａ）のＢ−Ｂ部分の断面図である。図４は、図３に示した液晶窓１００の光透過面積を変更することにより絞り値（Ｆ値）を３通りに設定した状態を示す説明図である。
【００１２】
本実施の形態に係る携帯電話機１は、図１に示すように、第１筐体１０ａ及び第２筐体１０ｂがヒンジ結合部１０ｃにより開閉可能に連結されてなる折畳式のものである。
【００１３】
第１筐体１０ａには、折畳時に内側になる面（正面）に表示部１３が設けられており（図１（ａ）参照）、折畳時に外側になる面（背面）に後述する液晶窓１００が設けられている（図１（ｂ）参照）。また、図１（ｂ）に示した液晶窓１００の背後には、撮像装置１６が設けられている。印加電圧により液晶窓１００の光透過面積を変更して、撮像装置１６に入射する光の量を調節することにより、通常撮像モードから近接撮像モードに切り替えることができる。なお、液晶窓１００については、図３及び図４を用いて後述する。
【００１４】
第２筐体１０ｂの正面には入力部１２が設けられており（図１（ａ）参照）、背面には充電パック等の電源制御部１７が設けられている（図１（ｂ）参照）。また、図１（ｂ）に示すように、携帯電話機１の上部にはアンテナ１４ａが配設されている。第２筐体１０ｂの内部には、装置全体を統合制御する制御部１１、図示していない無線基地局との間で着信や発信等に係る無線信号の送受信を行う無線通信部１４、記憶部１５及び送受話部１８が内蔵されている。これら制御部１１や無線通信部１４等については、図５を用いて後述する。
【００１５】
入力部１２は、テンキー、各種機能スイッチ、通話モード及びカメラモードの切り替えを行うモード切替スイッチ等を備えており、撮影処理の実施指示の入力等に用いられる。
【００１６】
表示部１３は、ＬＣＤ（Ｌｉｑｕｉｄ  Ｃｒｙｓｔａｌ  Ｄｉｓｐｌａｙ）パネル等により構成され、制御部１１から入力される表示データに基づいて画面表示を行う。また、表示部１３は、撮像装置１６によってプレビュー撮影された画像や、制御部１１により復号（デコード）されたコード情報内容等を表示する。アンテナ１４ａは、無線通信部１４に接続されている。
【００１７】
撮像装置１６は、撮像素子２０やレンズ部３２等を備えて構成され、レンズ部３２を介して入力される画像を撮像素子２０で電気信号に変換して、画像データを生成するものである。また、撮像装置１６は、制御部１１の制御に基づいて、通常撮像モード及び近接撮像モードによる撮像処理が実行可能とされている。
【００１８】
ここで、「通常撮像モード」とは、被写界深度が１ｍ〜∞の撮像モードである。また、「近接撮像モード」とは、被写界深度が数ｃｍ〜∞の撮像モードであり、通常撮像モードより焦点距離が短く、被写体までの距離が短い場合の撮像に適している。
【００１９】
撮像装置１６の構成について、図２を用いて説明する。撮像装置１６は、基板ＰＣの一方の面上に設けられ、光を感じるセンサとなる撮像素子２０、撮像素子２０に集光させるための光学部材３０、光学部材３０に入射する光の量を調節する絞り板４０、撮像素子２０を覆い隠す外枠部材としての鏡枠５０、遮光性を有する遮光板６０、遮光板６０に支持されるフィルタ７０、光学部材３０を押圧する押圧部材８０、光学部材３０の位置決めを行うための位置決め電気部品９０、等を備えて構成されている。
【００２０】
光学部材３０は、撮像素子２０の光電変換部２１に被写体像を結像させるものであり、透明なプラスチック材料を素材とし、図２に示すように、脚部３１と、脚部３１に支持される凸レンズ形状のレンズ部３２と、が一体的に形成されている。
【００２１】
絞り板４０は、図２に示すように、光学部材３０の上面であってレンズ部３２の周囲に接着剤Ｂにより固定されている。絞り板４０は、遮光性のある素材からなり、レンズ部３２の絞り値（Ｆ値）を規定する絞りとしての開口４１を有する。
【００２２】
鏡枠５０は、遮光性を有する素材からなり、光学部材３０の外側に配置されている。鏡枠５０は、四角柱状に形成され、そのうち対向する二つの内側面には、水平方向に沿って光学部材３０を支持する支持部５１が一体に形成されている。
【００２３】
遮光板６０は、鏡枠５０の上端部に接着剤により取り付けられている。遮光板６０は、光学部材３０に対応する位置に、絞りとしての開口６１を有しており、この開口６１の下方に、赤外線吸収特性を有する素材からなるフィルタ７０が接着剤により接合されている。フィルタ７０は、光学部材３０の径に対応して形成されている。また、遮光板６０は、鏡枠５０の上端の開口部より少し小さく形成され、この開口部を塞ぐようになっている。そして、遮光板６０とフィルタ７０とでカバー部材を構成する。このように、基板ＰＣと鏡枠５０とカバー部材とが密着し接合しているので、撮像装置１６は、防塵、防湿の構造を有する。
【００２４】
光学部材３０と遮光板５０との間には、コイルばねなどの弾性部材により構成された押圧部材８０が配置されている。遮光板６０が鏡枠５０に取り付けられることで、遮光板６０が押圧部材８０を押圧して、押圧部材８０が弾性変形する。この押圧部材８０は、光学部材３０を図２の紙面下方に向かって所定の押圧力により押圧して、光学部材３０を撮像素子２０に付勢する。遮光板６０から下方の撮像素子２０に向かう力が加わった際、押圧部材８０が弾性変形することにより、その力を吸収する緩衝作用が働くので、その力は直接撮像素子２０には伝達されず、撮像素子２０が破損することを防ぐ効果がある。
【００２５】
撮像素子２０は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型イメージセンサからなるものである。矩形薄板状の撮像素子２０の下面は、基板ＰＣの上面に取り付けられており、撮像素子２０の上面中央には、画素が２次元的に配列された光電変換部２１が形成されている。光電変換部２１の外側には、図示していない処理部が形成されており、処理部の外縁近傍には、図示していない複数のパッドが配置されている。外部接続用端子であるパッドは、図２に示すように、ワイヤＷを介して基板ＰＣに接続されている。ワイヤＷは、基板ＰＣ上の所定の回路に接続されており、この所定の回路により制御部１１に撮像画像データが出力されるようになっている。
【００２６】
電源制御部１７は、例えば、リチウム電池、ニッケル電池、ニカド電池等により構成され、電源が投入されると、制御部１１の制御に応じて、プラス側の端子及びマイナス側の端子から、携帯電話機１の各部を駆動する駆動回路に所定電圧の電源を供給する。
【００２７】
次に、図３及び図４を用いて、液晶窓１００と、この液晶窓１００を含む絞り手段と、について説明する。
【００２８】
液晶窓１００は、撮像装置１６に入射する光の量を調節して近接撮像を可能にするものである。液晶窓１００は、２枚のガラス基板１１０、これらガラス基板１１０間に封入された液晶１２０、シール材１３０、（図示されていない）スペーサ、等から構成されている。
【００２９】
ガラス基板１１０の液晶１２０と反対側の面（外面）には、図３（ｂ）に示すように、入射する光の振動方向を規制するための偏光板１１１が取り付けられている。一のガラス基板１１０に取り付けられる偏光板１１１により規制される光の振動方向と、他のガラス基板１１０に取り付けられる偏光板１１１により規制される光の振動方向と、はほぼ直交するようにされている。
【００３０】
また、ガラス基板１１０の液晶１２０側の面（内面）には、図３（ｂ）に示すように、配向膜１１２が形成されている。配向膜１１２は、ガラス基板１１０の内面に設けたポリイミド製薄膜を所定の方向にラビングして形成したものであり、一のガラス基板１１０に形成した配光膜１１２のラビング方向と、他のガラス基板１１０に形成した配光膜１１２のラビング方向と、はほぼ直交するようにされている。かかる配向膜１１２のラビング方向の直交により、液晶１２０内の液晶分子の配列にねじれを生じさせることができる。
【００３１】
液晶１２０は、ツイスティッド・ネマティック（ＴＮ）液晶であり、電圧が印加されていない状態における液晶分子の配列のねじれにより、入射した光の振動方向を変更するという機能を有する（施光性）。一方、液晶１２０に電圧を印加すると、液晶分子の配列のねじれが解消し、前記した施光性が喪失する（非施光性）。
【００３２】
従って、液晶１２０に電圧を印加していない状態においては、一のガラス基板１１０の偏光板１１１を通過して振動方向が規制された光（偏光）は、液晶１２０の施光性によりその振動方向が略９０°変更されて、他のガラス基板１１０の偏光板１１１を通過する。このため、外部から液晶窓１００に入射した光は液晶１２０を透過して、撮像装置１６に達することとなる。
【００３３】
一方、液晶１２０に電圧を印加した状態においては、一のガラス基板１１０の偏光板１１１を通過して振動方向が規制された光（偏光）は、その振動方向が液晶１２０によって変更されることはないため、他のガラス基板１１０の偏光板１１１に遮られる。このため、外部から液晶窓１００に入射した光は撮像装置１６に達することはない。
【００３４】
すなわち、電圧非印加状態における液晶１２０の施光性と、電圧印加状態における液晶１２０の非施光性と、を利用して、液晶窓１００の光透過面積を適宜設定することができる。本実施の形態においては、一のガラス基板１１０に図３（ａ）のＸ方向に沿った電極を縞状に設けるとともに、他のガラス基板１１０に図３（ａ）のＹ方向に沿った電極を縞状に設けている。そして、これらＸ方向の電極とＹ方向の電極との交点に電圧を印加することによって、その交点における液晶１２０の施光性を喪失させ、光の透過を阻止している。
【００３５】
本実施の形態においては、ＣＰＵ１１ａで絞り設定プログラムｃ４（後述）を実行することにより、所定の交点に電圧を印加して光透過面積を変更し、撮像装置１６に入射する光の量を調節している。すなわち、絞り設定プログラムｃ４は、本発明における印加電圧手段である。また、液晶窓１００及び絞り設定プログラムｃ４は、本発明における絞り手段を構成する。
【００３６】
図４は、絞り設定プログラムｃ４の実行により液晶窓１００の光透過面積を変更して、３通りの絞り値（Ｆ値）を設定した状態を示したものである。図４（ａ）〜（ｃ）において斜線で示した部分は、印加電圧により光の透過が阻止された部分を意味しており、白抜きで示した同心円形状の部分は、光透過部分を意味している。
【００３７】
図４（ａ）は、絞り径（光透過部分の直径）をＲ１として、絞り値を通常撮像に適した値（Ｆ＝８）に設定した状態を、図４（ｂ）は、絞り径をＲ２（＜Ｒ１）として、絞り値を図４（ａ）の状態の２倍（Ｆ＝１６）に設定した状態を、図４（ｃ）は、絞り径をＲ３（＜Ｒ２）として、絞り値を近接撮像に適した値（Ｆ＝２２）に設定した状態を、各々示している。通常は、図４（ｃ）に示した状態で近接撮像を行うが、撮像状況に応じて、図４（ｂ）に示した状態で近接撮像を行うこともできる。なお、「絞り値」とは、焦点距離を絞り径で除することによって算出される値である。
【００３８】
シール材１３０は、図３（ｂ）に示すように、２枚のガラス基板１１０の間に注入された液晶１２０を封止するための部材である。また、図示されていないスペーサは、２枚のガラス基板１１０同士の密着を阻止することを目的として液晶１２０内に混在させた極小の粒子である。
【００３９】
次に、図５を用いて、本実施の形態に係る携帯電話機１の機能的構成について説明する。図５は、携帯電話機１の機能的構成を示すブロック図である。図５に示すように、携帯電話機１は、制御部１１、入力部１２、表示部１３、アンテナ１４ａを有する無線通信部１４、記憶部１５、撮像装置１６、電源制御部１７、送受話部１８、等を備えて構成され、各部はバス１９により接続されている。
【００４０】
制御部１１は、ＣＰＵ（Ｃｅｎｔｒａｌ  Ｐｒｏｃｅｓｓｉｎｇ  Ｕｎｉｔ）１１ａ、書き換え可能な半導体素子で構成されるＲＡＭ（Ｒａｎｄｏｍ  Ａｃｃｅｓｓ  Ｍｅｍｏｒｙ）１１ｂ、不揮発性の半導体メモリで構成されるＲＯＭ（Ｒｅａｄ  Ｏｎｌｙ  Ｍｅｍｏｒｙ）１１ｃ、等から構成されている。
【００４１】
ＲＯＭ１１ｃには、図示していない携帯電話機１の基本動作制御プログラム、通信処理プログラム、表示部１３に表示するための表示用データ、撮像に関するパラメータデータ（自動撮像用のデフォルトの設定データ、プレビュー撮像用のデフォルトの設定データ）等の他、撮像制御プログラムｃ１、コード認識プログラムｃ２、コード認識用データｃ３及び絞り設定プログラムｃ４が記憶されている。ここで、コード認識用データｃ３は、画像データに情報コードとしての二次元コードが含まれているかを判断するためのコード類似性係数（Ｑ）を設定する際の基準データである。
【００４２】
ＣＰＵ１１ａは、入力部１２から入力される各種指示又は無線通信部１４から入力されるデータに従って、ＲＯＭ１１ｃに記憶されている各種プログラムの中から指定されたプログラムをＲＡＭ１１ｂのワークエリアに展開し、この入力指示及び入力データにより前記プログラムに従って各種処理を実行する。そして、ＣＰＵ１１ａは、その処理結果をＲＡＭ１１ｂの所定の領域に格納するとともに、表示部１３に表示させる。
【００４３】
例えば、ＣＰＵ１１ａは、ＲＯＭ１１ｃに記憶される撮像制御プログラムｃ１を読み出して、後述する撮像制御処理を実行する。撮像制御処理として、ＣＰＵ１１ａは、入力部１２から入力されるユーザの操作指示等に従って撮像装置１６を制御し、撮像装置１６によって取得した画像データをＲＡＭ１１ｂに所定のメモリ等に格納した上で、フレームレート２５ｆｐｓで、表示部１３にプレビュー表示させる。
【００４４】
通常撮像を行う場合には、ＣＰＵ１１ａは、絞り設定プログラムｃ４の実行により、液晶窓１００の液晶１２０の所定部分に電圧を印加して、絞り値を通常撮像に適した値（Ｆ＝８）に設定する。一方、近接撮像を行う場合には、ＣＰＵ１１ａは、絞り設定プログラムｃ４の実行により、液晶窓１００の液晶１２０の電圧を印加する部分を変更して、絞り値を近接撮像に適した値（Ｆ＝２２又はＦ＝１６）に設定する。
【００４５】
また、ＣＰＵ１１ａは、コード認識プログラムｃ２に従って、取得した画像データに対して二次元コードである可能性のある二次元コード対象を認識するコード処理を実行する。具体的に説明すると、ＣＰＵ１１ａは、５フレーム毎に、画像データと、コード認識用データｃ３と、を対照することにより、画像データに二次元コードが含まれているか否かの判断を実行する。より具体的には、ＣＰＵ１１ａは、画像データと、類似性係数算定用情報としてのコード認識用データｃ３と、を比較することにより、二次元コード対象にコード類似性係数を算出し、このコード類似性係数の値に基づいて、二次元コードである可能性のある二次元コード対象や二次元コードを認識する。
【００４６】
さらに、ＣＰＵ１１ａは、コード類似性係数が、コードを含んでいる可能性があるが、決定的でない数値であると判断した二次元コード対象がある場合には、撮像モードを通常撮像モードから近接撮像モードに切り替える。具体的に説明すると、ＣＰＵ１１ａは、コード類似性係数が、コードを含んでいる可能性があるが、決定的でない数値であると判断した二次元コード対象がある場合には、絞り設定プログラムｃ４を実行して液晶窓１００の光透過面積を変更することにより、通常撮像に適した絞り値（Ｆ＝８）を近接撮像に適した絞り値（Ｆ＝２２又はＦ＝１６）に変更する。すなわち、ＣＰＵ１１ａは、本発明における制御手段である。
【００４７】
また、ＣＰＵ１１ａは、取得した画像データ中に二次元コードを認識した場合には、二次元コードのデコード処理を行うとともに、デコード処理結果を表示部１３に表示させる。また、ＣＰＵ１１ａは、デコード処理を行った情報コードの情報に基づく動作を実行する。
【００４８】
無線通信部１４は、制御部１１から入力される指示に従って、無線基地局との間で、アンテナ１４ａを介して所定の通信方式に対応する携帯電話用の通信プロトコルを実行し、この通信方式で設定される通信チャネルにより、送受話音声の送受信やデータ通信を実行する。
【００４９】
記憶部１５は、制御部１１により実行された処理結果のデータ等を記憶するものである。例えば、記憶部１５は、撮像装置１６により撮像された画像のデータ、無線通信部１４を介して送受信したメールのデータ、通話履歴のデータ等を記憶する。
【００５０】
送受話部１８は、図示していないマイク、スピーカ、Ａ／Ｄ変換部及びＤ／Ａ変換部等を有し、マイクから入力されるユーザの送話音声をＡ／Ｄ変換処理して、その送話音声データをＣＰＵ１１ａに出力するとともに、ＣＰＵ１１ａから入力される受話音声データや、着信音、操作確認音、シャッタ音等の音声データをＤ／Ａ変換処理して、スピーカから出力する。
【００５１】
続いて、図６及び図７を参照して、本実施の形態に係る携帯電話機１の撮像制御処理について説明する。図６は、撮像制御処理を説明するためのフローチャートであり、図７は、撮像制御処理における被写体の概略図である。
【００５２】
携帯電話機１のユーザによって、入力部１２の所定のボタンが押下されると、ＣＰＵ１１ａは、撮像処理の指示の入力であると判断し、ＲＯＭ１１ｃに記憶されている撮像制御プログラムｃ１を読み出してＲＡＭ１１ｂに展開し、この撮像制御プログラムｃ１に従って、撮像処理の制御を開始する。このとき、ユーザは、携帯電話機１の撮像装置１６を被写体に向けることにより、図７に示すような、被写体（二次元コードのようなもの）を撮影することとする。
【００５３】
撮像処理においては、ＣＰＵ１１ａは、まずＲＡＭ１１ｂに格納されている画像データのフレームのカウント数を０（Ｎ＝０）にリセットし（ステップＳ１）、通常撮像モードによる撮像処理の開始指示を撮像装置１６に出力する。すると、撮像装置１６は、通常撮像モードにおける撮像処理として、光学部材３０により集光されて撮像素子２０の光電変換部２１に結像された被写体の画像データを、順次制御部１１に出力する（ステップＳ２）。
【００５４】
すると、ＣＰＵ１１ａは、撮像装置１６より入力される画像データを、順次ＲＡＭ１１ｂに格納するとともに、これらの画像をフレームレート２５ｆｐｓで表示部１３に表示させるプレビュー表示処理を実行する（ステップＳ３）。また、ＣＰＵ１１ａは、プレビュー表示処理の実行と平行して、撮像装置１６から入力される画像のフレーム数をカウント（Ｎ＝Ｎ＋１）し（ステップＳ４）、フレーム数が「５」であるか否かを判断する（ステップＳ５）。
【００５５】
そして、ＣＰＵ１１ａは、フレーム数が「５」であると判断した場合（ステップＳ５：Ｙｅｓ）には、ステップＳ６に移行する。一方、フレーム数が５でないと判断した場合（ステップＳ５：Ｎｏ）には、ステップＳ２に戻ってステップＳ３及びステップＳ４を繰り返す。
【００５６】
次いで、ステップＳ６〜ステップＳ８において、ＣＰＵ１１ａは、ＲＯＭ１１ｃに記憶されているコード認識プログラムｃ２を読み出してＲＡＭ１１ｂに展開し、このコード認識プログラムｃ２に従って、コード認識処理の制御を開始する。具体的には、ＣＰＵ１１ａはフレーム数が「５」となったときの被写体の画像データと、コード認識用データｃ３と、を比較対照することにより、二次元コードの認識処理を実行する。
【００５７】
ここで、認識処理の方法として、例えば、被写体の画像データに二次元コードであることを示す所定の切り出しシンボルを検出することにより認識する方法、被写体の画像データの濃度により認識する方法、二次元コードの所定のモザイク形状を認識する方法、等があるが、これらに限定されるものではない。
【００５８】
ステップＳ６〜ステップＳ８におけるＣＰＵ１１ａの動作を具体的に説明する。ＣＰＵ１１ａは、ステップＳ６において、画像データと、類似性係数算定情報としてのコード認識用データｃ３と、を比較することにより、この画像データの二次元コードである可能性を判断するためのコード類似性係数（Ｑ）を算出する。
【００５９】
次いで、ＣＰＵ１１ａは、算出されたコード類似性係数（Ｑ）の値が、「０．５」以上であるか否かを判断し（ステップＳ７）、Ｑは「０．５」以上であると判断した場合（ステップＳ７：Ｙｅｓ）には、所定の二次元コードの可能性があると判断する。
【００６０】
一方、ＣＰＵ１１ａは、算出されたコード類似性係数（Ｑ）が０．５未満であると判断した場合（ステップＳ７：Ｎｏ）には、二次元コードである可能性が少ないと判断し、フレームのカウントを０にリセット設定した（ステップ９）上でステップＳ２に戻り、プレビュー表示処理と５フレーム毎のコード認識処理と、を繰り返す。
【００６１】
このように、ＣＰＵ１１ａは、５フレーム毎に、被写体の画像データに対し、二次元コードの認識処理を実行する。従って、ＣＰＵ１１ａの処理負荷が低減されることとなって、並行して実行する被写体の画像データの取得処理及び画像データのプレビュー表示処理への影響を軽減することができる。
【００６２】
また、ＣＰＵ１１ａは、ステップＳ８においてコード類似性係数（Ｑ）が「１」であるか否かを判断し、「１」であると判断した場合（ステップＳ８：Ｙｅｓ）には、二次元コードであると判断してステップＳ１０に移行する。
【００６３】
一方、ＣＰＵ１１ａは、コード類似性係数（Ｑ）が「０．５」以上であるが「１」ではないと判断した場合（ステップＳ８：Ｎｏ）には、二次元コード対象であると認識する。そして、ＣＰＵ１１ａは、撮像装置１６に近接撮像を実行するように近接撮像モード設定処理を実行し（ステップＳ１１）、ステップＳ９を経てステップＳ２に戻る。
【００６４】
そしてステップＳ２以降の工程で、近接撮像モードにおける撮像処理を行う。すなわち、ＣＰＵ１１ａは、絞り設定プログラムｃ４を実行して液晶窓１００の光透過面積を変更することにより、通常撮像に適した絞り値（Ｆ＝８）を近接撮像に適した絞り値（Ｆ＝２２又はＦ＝１６）に変更した上で、被写体の近接撮像を行う。この際、撮像装置１６によって取得された近接撮像の画像データは、表示部１３にプレビュー表示される。また、ＣＰＵ１１ａは、この近接撮像モードにおける撮像処理及びプレビュー表示処理と平行して、近接撮像モードによる画像データに対し、５フレーム毎のコード認識処理を実行する。
【００６５】
このとき、近接撮像モードにおける撮像処理は、通常撮像モードにおける撮像処理に比べて被写体深度が深いので、二次元コードの認識率が向上することとなる。従って、通常撮像モードにおいて二次元コードとしての可能性があるが確定ではないもの（二次元コード対象）を、二次元コードとして認識することができる。これに伴って、被写体の画像データにおける二次元コードの認識率が向上する。
【００６６】
ステップＳ８においてコード類似性係数（Ｑ）が「１」であると判断してステップＳ１０に移行した場合には、ＣＰＵ１１ａは、認識された二次元コードのデコード処理を実行し、その二次元コードのコード情報内容を表示部１３に表示させる（ステップＳ１２）。ここで、表示部１３に表示されるコード情報内容としては、例えば、ＵＲＬアドレス・電子メールアドレス等の文字情報や、任意の画像情報、等を挙げることができる。
【００６７】
次いで、ＣＰＵ１１ａは、ユーザによる入力部１２の操作により、表示部１３に表示されたコード情報内容に対する所定の処理の指示信号が入力されたか否かを判断し（ステップＳ１３）、指示信号が入力されたと判断した場合（ステップＳ１３：Ｙｅｓ）には、その指示に応じた処理を実行（ステップＳ１４）してステップＳ１５に移行する。
【００６８】
ここで、コード情報内容に対する所定の処理としては、例えば、コード情報内容がＵＲＬアドレスである場合には、そのＵＲＬアドレスへの接続指示、コード情報内容が電子メールアドレスである場合には、その電子メールアドレス宛の電子メールの作成指示、コード情報内容が電話番号・電子メールアドレス等である場合には、アドレス帳等への保存処理、等を挙げることができるが、これらに限定されるものではない。
【００６９】
一方、ＣＰＵ１１ａは、ステップＳ１３において、ユーザからの指示信号の入力がないと判断した場合（ステップＳ１３：Ｎｏ）には、ステップＳ１５に移行する。そして、ステップＳ１５において、ＣＰＵ１１ａは、ユーザの入力部１２の操作により、撮像処理の終了指示が入力されたか否かを判断し、入力されたと判断した場合には、撮像装置１６に撮像処理の終了指示を出力することにより、本撮像制御処理を終了する。
【００７０】
一方、ＣＰＵ１１ａは、撮像処理の終了指示の入力がないと判断した場合（ステップＳ１５：Ｎｏ）には、ステップＳ９を経て、ステップＳ２以降の工程を繰り返す。
【００７１】
本実施の形態に係る携帯電話機１においては、制御手段であるＣＰＵ１１ａが、撮像装置１６により取得した画像データに基づいて、絞り手段（液晶窓１００及び絞り設定プログラムｃ４）を制御し、通常撮像を行う通常撮像モードから、近接撮像を行う近接撮像モードへと自動的に切り替えることができる。従って、撮像モードを切り替える際に、ユーザが撮像モードの適否を判断したり手指で切替操作を行ったりする必要がない。また、撮像モードを切り替える際に撮像装置１６を手指で回動させる必要がない。この結果、撮像時の操作を格段に簡素化することができる。
【００７２】
また、本実施の形態に係る携帯電話機１においては、絞り手段が、ガラス基板１１０及び液晶１２０を有する液晶窓１００と、液晶１２０の一部に電圧を印加して液晶窓１００の光透過面積を変更することにより撮像装置１６に入射する光の量を調節する印加電圧手段（絞り設定プログラムｃ４）と、を備えるので、液晶の特性（電圧非印加時の施光性及び電圧印加時の非施光性）を利用して、撮像装置１６に入射する光の量を電気的に調節することができる。この結果、撮像装置１６に入射する光の量を調節するために複雑な機械的構成を設ける必要がないので、携帯電話機１の軽量化や薄型化が可能となる。
【００７３】
また、本実施の形態に係る携帯電話機１における撮像制御処理においては、撮像装置１６による被写体の画像データの取得処理及びその画像データのプレビュー表示処理と平行して、画像データ中の所定の二次元コードデータの認識処理及び二次元コードデータのデコード処理が自動的に実行される。従って、ユーザは、例えば、名刺や雑誌等に付けられている二次元コードを認識、解読するために面倒な設定をしなくとも通常の撮像処理の場合と同様の操作をすることで、自動的に二次元コードの読取、解読を行えることとなるので、大変使い勝手が良い。
【００７４】
また、例えば、通常撮像モードによって取得した画像データのピントがぼけていたり、ノイズが多く含まれていたりすることにより、二次元コードと明確に認識することができないが、その可能性がある場合には、二次元コードの認識に適した近接撮像モードによる撮像処理に自動的に切り換わるように絞り手段が制御される。従って、ユーザに、撮像モードの設定変更の手間を課すことなく、二次元コードの認識精度を高めることができる。
【００７５】
また、通常撮像モードによって取得した画像データに二次元コードが含まれている可能性が少ない場合や、明確に二次元コードが認識できた場合には、撮像モードが切り換わらないので、効率的である。
【００７６】
なお、本実施の形態における記述内容は、本発明に係る携帯電話機１の好適な一例であり、これに限定されるものではない。例えば、通常撮像モードと、近接撮像モードと、による撮像処理が実行可能であれば、本実施の形態において例示した撮像装置１６の構成に限定されるものではない。また、以上の実施の形態においては、情報コードの一例として二次元コードを用いて説明を行ったが、二次元コードに限定されるものではなく、例えば、バーコード、カラーコード等どのような情報コードであってもよい。
【００７７】
また、本実施の形態に係る携帯電話機１における撮像制御処理においては、二次元コードをデコードすると、そのコード情報内容を表示部１３に表示させた上で、ユーザによる所定の処理の指示に基づいて、二次元コードの情報内容に応じた各種処理を実行する構成で説明を行ったが、ＣＰＵ１１ａにより、コード情報内容が解読されると自動的に所定の処理を実行する構成であってもよい。
【００７８】
その他、本実施の形態における携帯電話機１の細部構成及び詳細動作に関しては、本発明の趣旨を逸脱しない範囲で適宜変更可能である。また、本発明の携帯端末は、本実施の形態で挙げた携帯電話機１に限定されず、ＰＨＳ（Ｒ）ＰＣ、ＰＤＡ等であってもよい。
【００７９】
【発明の効果】
請求項１記載の発明によれば、制御手段によって、撮像装置により取得した画像データに基づいて絞り手段を制御し、通常撮像を行う通常撮像モードから、近接撮像を行う近接撮像モードへと自動的に切り替えることができる。従って、撮像モードを切り替える際に、ユーザが撮像モードの適否を判断したり手指で切替操作を行ったりする必要がない。また、撮像モードを切り替える際に撮像装置を手指で回動させる必要がない。この結果、撮像時の操作を格段に簡素化することができる。
【００８０】
請求項２記載の発明によれば、絞り手段は、ガラス基板及び液晶を有する液晶窓と、液晶の一部に電圧を印加して液晶窓の光透過面積を変更することにより撮像装置に入射する光の量を調節する印加電圧手段と、を備えるので、液晶の特性（電圧非印加時の施光性及び電圧印加時の非施光性）を利用して、撮像装置に入射する光の量を電気的に調節することができる。この結果、撮像装置に入射する光の量を調節するために複雑な機械的構成を設ける必要がないので、携帯端末の軽量化や薄型化が可能となる。
【図面の簡単な説明】
【図１】本発明の実施の形態に係る携帯電話機の外観構成を示すものであり、（ａ）は携帯電話機の正面図、（ｂ）は携帯電話機の背面図である。
【図２】図１（ｂ）のＩＩ−ＩＩ部分の断面図である。
【図３】（ａ）は、図１に示した携帯電話機に備えられる液晶窓の構成を説明するための斜視図であり、（ｂ）は、（ａ）のＢ−Ｂ部分の断面図である。
【図４】図３に示した液晶窓の光透過面積を変更することにより絞り値（Ｆ値）を３通りに設定した状態を示す説明図である。
【図５】図１に示した携帯電話機の機能的構成を示すブロック図である。
【図６】図１に示した携帯電話機の撮像制御処理を説明するためのフローチャートである。
【図７】図１に示した携帯電話機の撮像装置によって撮像される被写体の例を示す概略図である。
【符号の説明】
１      携帯電話機（携帯端末）
１１ａ    ＣＰＵ（制御手段）
１６      撮像装置
２０      撮像素子
２１      光電変換部
３２      レンズ部
１００      液晶窓（絞り手段）
１１０      ガラス基板
１１１      偏光板
１１２      配向膜
１２０      液晶
ｃ４      絞り設定プログラム（印加電圧手段、絞り手段）
【図１】
2004274548.tif 000003
【図２】
2004274548.tif 000004
【図３】
2004274548.tif 000005
【図４】
2004274548.tif 000006
【図５】
2004274548.tif 000007
【図６】
2004274548.tif 000008
【図７】
2004274548.tif 000009